【手続補正書】
【提出日】令和3年11月2日(2021.11.2)
【手続補正１】
【補正対象書類名】明細書
【補正対象項目名】全文
【補正方法】変更
【補正の内容】
【発明の詳細な説明】
【発明の名称】水路ブロックの構造
【技術分野】
【０００１】
本発明は、道路下の地中に列状に埋設されて水路を構成するブロックの構造に関する。
【背景技術】
【０００２】
近年、国道などの道路拡幅に伴って、道路脇の横水路の暗渠化が進められている。例えば道路下にボックスカルバートを列状に埋設して地下に暗渠型の水路が構築されている。
【０００３】
図１は前記ボックスカルバートの一例を示し、図１（ａ）は３列水路を構成するクスカルバート３を示し、図１（ｂ）は４列水路を構成するボックスカルバート４を示している。
【０００４】
ボックスカルバート３は、二列水路のボックスカルバート３ａと単列水路のボックスカルバート３ｂとを幅方向に備えている。この両者３ａ，３ｂは、側壁３ｃの外面同士が接合され、接合された側壁３ｃおよび中間壁３ｄを貫通する通水孔３ｅが形成されている。
【０００５】
ボックスカルバート４は、４個の単列水路のボックスカルバート４ａを水路２の幅方向に備えている。この各ボックスカルバート４ａは、側壁４ｂの外面同士が接合され、接合された側壁４ｂを貫通する通水孔４ｃが形成されている。なお、本発明は、公知・公用の技術に基づき発明され、出願人の把握する先行技術文献は存在しない。
【発明の概要】
【発明が解決しようとする課題】
【０００６】
前述の通水孔３ｅ，４ｃは、ボックスカルバート３，４内の水路６間における水位や水圧などを均一に保つために形成されている。ところが、従来は、各壁３ｃ，３ｄ，４ｂに通水孔３ｅ，４ｃを貫通形成していたため、全体的な強度に影響を与え、耐久性に問題を生じるおそれがあった。
【０００７】
本発明は、このような従来の問題点を解決するためになされ、道路下に埋設される暗渠型のブロック内における各水路間の通水路を、ブロックの強度に影響を与えることなく形成することを解決課題としている。
【課題を解決するための手段】
【０００８】
（１）本発明は、列状に埋設されて水路を構成する暗渠型のブロックの構造であって、
前記ブロック内を複数の水路に区分する中間壁を備え、
前記各中間壁は、前記列状に隣接する他の前記ブロックの前記中間壁との対向面の少なくとも一方に凹部が形成され、
前記列状の接合時には、前記対向面間に前記水路間の通水路が形成されることを特徴とする。
【０００９】
（２）前記ブロックの一態様は、上下一対の上壁および下壁と、
前記上壁および前記下壁の側端部間を連結する一対の側壁と、
を備え、
前記中間壁は、前記側壁間において前記上壁と前記下壁とを連結することを特徴する。
【００１０】
（３）前記ブロックの他の態様は、複数のブロック本体を幅方向に接合されて構成され、
前記ブロック本体は、上下一対の上壁および下壁と、
前記上壁および前記下壁の側端部間を連結する左右一対の側壁と、
を備え、
前記中間壁は、前記側壁同士を前記幅方向に接合させて構成されることを特徴とする。
【００１１】
（４）前記ブロックの他の態様は、二種類のブロック本体を幅方向に接合して構成され、
一方の種類の前記ブロック本体は、上下一対の上壁および下壁と、
前記上壁および前記下壁の側端部間を連結する左右一対の側壁と、
を備え、
他方の種類の前記ブロック本体は、さらに前記側壁間において前記上壁と前記下壁とを連結する第１の前記中間壁を備え、
前記両種類の前記ブロック本体の側壁同士を接合させることで第２の前記中間壁が構成され、
前記両中間壁の前記対向面に前記凹部が形成されていることを特徴とする。
【００１２】
（５）なお、前記各ブロックは、前記列状の接合時に前記通水路の周囲をシールするシール部材が設けられていることが好ましい。
【発明の効果】
【００１３】
本発明によれば、道路下に埋設される暗渠型のブロック内における各水路間の通水路を、ブロックの強度に影響を与えることなく形成することができる。
【図面の簡単な説明】
【００１４】
【図１】（ａ）は暗渠化に用いられるボックスカルバートの一例を示す構成図、（ｂ）は同ボックスカルバートの他例を示す構成図。
【図２】（ａ）は実施例に係るボックスカルバートの正面図、（ｂ）は同背面図
【図３】図２（ａ）のＡ−Ａ断面図。
【図４】（ａ）は図２（ａ）のＢ−Ｂ断面図、（ｂ）は通水孔を示す縦断面図。
【発明を実施するための形態】
【００１５】
以下、本発明の実施形態に係る水路ブロックの構造を説明する。ここでは一例として暗渠型のボックスカルバートへの適用例を説明する。このボックスカルバートは、道路脇の横水路の暗渠化、即ち暗渠型水路の構築に用いられる。
【００１６】
≪実施例≫
（１）図２〜図４に基づき実施例を説明する。図２中の１１は、前記ボックスカルバートを示している。
【００１７】
前記ボックスカルバート１１は、図２（ａ）（ｂ）に示すように、コンクリート製のボックス状に形成され、上下一対の長方形状に形成された上壁１２および下壁１３と、両壁１２，１３の側端部を連結する左右一対の側壁１４と、側壁１４間において両壁１２，１３を連結する二本の中間壁１５とを備えている。この各中間壁１５により前記ボックスカルバート１１の内部が、三つの水路２３に仕切られ、該水路２３群により地下の水路２が構成される。
【００１８】
ここでは各壁１２〜１４の正面には、図２（ａ）に示すように、パッキン２１が固着され、またコーナ部１６にはガイド金具（ジョイントバー）１７が設けられている。このガイド金具１７の下端部はコーナ部１６に埋設されている一方、上端部がコーナ部１６から露出している。一方、同コーナ部１６の背面には、図２（ｂ）に示すように、ガイド金具１７の上端部が挿入されるガイド金具（ジョイントソケット）１８が埋設されている。
【００１９】
各中間壁１５は、図３に示すように、前記両壁１２，１３間の前面側（正面側）Ｆから後面側（背面側）Ｂまでに亙って形成され、上下端部の脚部１５ａと、両脚部１５ａ間の本体１５ｂとを備えている。また、各中間壁１５の前後端面（Ｆ側の端面・Ｂ側の端面）には、図４（ａ）に示すように、縦断面コ字状の凹部１９が形成されている。この凹部１９は、本体１５ｂおよび両脚部１５ａの前後端面を溝底とし、両脚部１５ａの両壁１２，１３側から上り勾配の溝壁１９ａを備えている。
【００２０】
（２）このように構成された前記ボックスカルバート１１によれば、道路脇の地下に水路２を構築する際には、道路下に前記ボックスカルバート１１を列状に埋設される。ここでは矢印Ｆ，Ｂ方向の前後方向に列状に隣接する前記ボックスカルバート１１同士が接合される。
【００２１】
すなわち、隣接する一方の前記ボックスカルバート１１のガイド金具１７の上端部を他方の前記ボックスカルバート１１のガイド金具１８に挿入し、前記両ボックスカルバート１１をジョイントさせる。その後、対向する前記ボックスカルバート１１のパッキン２１間に高弾性接着剤（エポキシ樹脂・シリコーンを主成分とする。）を注入して接合連結される。
【００２２】
したがって、隣接する前記ボックスカルバート１１間では、図４（ｂ）に示すように、それぞれの中間壁１５の前後端面が対向する。このとき中間壁１５の前後端面、即ち対向面に形成された凹部１９同士によりスリット状の通水路２０が形成される。
【００２３】
これにより側壁１４や中間壁１５に貫通孔を形成することなく、隣接する前後の前記ボックスカルバート１１を接合するだけで通水路２０を形成することが可能となる。その結果、前記ボックスカルバート１１の強度・耐久性に影響を与えることなく、各水路２３間の水位や水圧を均一化することができる。
【００２４】
また、隣接する前後の前記ボックスカルバート１１を接合するだけでよいので、簡単な構造で通水路２０を形成可能となる。なお、通水路２０の周囲は接合された前記両ボックスカルバート１１のパッキン２１によりシールされる。
【００２５】
≪その他・他例≫
本発明は、前記実施例に限定されるものではなく、各請求項に記載された範囲内で変形して実施することができる。一例を以下に説明する。
【００２６】
（１）凹部１９は、中間壁１５の前後端面の双方に形成する必要はなく、その一方に形成してもよい。この場合には前後に隣接する前記ボックスカルバート１１の中間壁１５との間に細めの通水路２０が形成される。
【００２７】
また、凹部１９は、隣接するボックスカルバート１１が接合された際に通水路２０が形成されればよいので、必ずしも断面コ字状である必要はなく、例えば断面弧状・断面Ｖ字状などでもよい。
【００２８】
（２）本発明は、図１（ａ）（ｂ）のボックスカルバート３，４にも適用することができる。例えば図１（ａ）に示すボックスカルバート３は、ボックスカルバート３ａ，３ｂを幅方向に備えている。ここでは両者３ａ，３ｂの接合される側壁３ｃおよび中間壁３ｄの前後面（対向面）を凹部１９とすればよい。
【００２９】
また、図１（ｂ）に示すボックスカルバート４は、ボックスカルバート４ａを水路２の幅方向に接合して構成されている。ここでは各ボックスカルバート４ａの接合される側壁３ｃの前後面を凹部１９とすればよい。
【００３０】
（３）なお、前記ボックスカルバート３，４，１１は、例えばＰＣ鋼線を用いて列状に連結することが可能である。
【符号の説明】
【００３１】
２，２３…水路
３，４，１１…ボックスカルバート（ブロック）
３ａ，３ｂ，４ａ…ボックスカルバート（ブロック本体）
３ｄ，１５…中間壁
３ｅ，４ｃ，１４…側壁
１２…上壁
１３…下壁
１９…凹部
２０…通水路
【手続補正２】
【補正対象書類名】図面
【補正対象項目名】全図
【補正方法】変更
【補正の内容】
【図１】
2021085165.tif 000001
【図２】
2021085165.tif 000002
【図３】
2021085165.tif 000003
【図４】
2021085165.tif 000004